(57)【要約】【課題】粉粒状の原料を溶融する電気炉において、原料を炉内に装入する際の原料の舞い上がりを解消する。【解決手段】原料３を炉体側面から炉内に装入する原料装入筒１２を溶融スラグ６の上面近くに開口させて設け、この原料装入筒１２内に供給された原料３をプッシャ１５で炉内に押し出すようにするとともに、プッシャ１５の押出しストロークの停止位置を原料装入筒１２の開口端１２ａから一定距離手前に定め、この一定距離の区間に原料３を保留するようにする。原料３を溶融スラグ６の上面に近い位置で水平に装入できるため、原料３の舞い上がりがない。また、原料装入筒１２の炉内側に保留した原料３により、原料装入筒１２への排ガスの流れ込みを阻止することができる。【選択図】      図１
2005233491.tif 000002
【特許請求の範囲】
【請求項１】
粉粒状の原料を溶融する電気溶融炉において、前記原料を炉体側面から炉内に装入する原料装入筒を溶融原料の上面近くに開口させて設け、この原料装入筒内に供給された前記原料をプッシャで炉内に押し出すようにするとともに、このプッシャの押し出しストロークの停止位置を前記原料装入筒の開口端から一定距離手前に定め、前記プッシャの押し出しストロークの停止位置と前記原料装入筒の開口端との間に前記原料を保留するようにしたことを特徴とする電気溶融炉。
【請求項２】
前記プッシャを前記押し出しストロークの停止位置から前記原料装入筒の開口端まで更に進出可能な２段ストロークに構成し、この進出ストロークにより前記原料装入筒に溶着した前記原料を前記プッシャで削ぎ落とすようにしたことを特徴とする請求項１記載の電気溶融炉。
【請求項３】
前記プッシャの先端にカッタを装着したことを特徴とする請求項２記載の電気溶融炉。
【発明の詳細な説明】
【技術分野】
【０００１】
この発明は、都市ごみの焼却処分から生じる焼却灰や焼却飛灰などの粉粒状の原料を溶融する電気溶融炉に関し、詳しくは原料を炉内に装入する装置に関する。
【背景技術】
【０００２】
上記した焼却灰などを埋め立て処分に代えて電気溶融炉で還元溶融し、溶融スラグを結晶化して建築資材などに再利用するとともに、メタルを有価物として分離する技術が開発されており、この技術については例えば特許文献１に記載されている。
【特許文献１】特開平９−１９６５７３号公報
【発明の開示】
【発明が解決しようとする課題】
【０００３】
焼却灰などの粉粒原料を電気溶融炉で溶融する場合、従来は原料を炉頂部から落下させることにより炉内に装入している。しかし、金属溶練の場合と異なり、焼却灰や焼却飛灰は粒子が細かいため、炉頂部からの落下による装入は排ガスにより原料を舞い上がらせ、原料の一部は排ガスと一緒に炉外へ排出される。これを防ぐために原料溶融面から炉頂までを高くしているが必ずしも有効ではなく、また炉の規模が大きくなるため設備費が高くなる。
【０００４】
また、還元方式の炉の場合、還元剤を配合した原料で原料溶融面を覆い、溶融原料（溶融スラグ）の熱で還元作用を促進させている。その際、炉頂部のような高い位置から原料を投入すると、粒子の大きい原料が所有する位置エネルギにより、反応が徐々に進行している還元層を転倒させ、あるいは原料がスラグ層に入り込み良好な還元作用を阻害する。そのため、重金属の分離ができなくなり、甚だしいときには低沸点物質による突沸が生じて操業が妨げられる。低沸点物質の突沸の防止は、還元剤を使用しない通常の溶融の場合においても重要である。
【０００５】
この発明の課題は、粉粒状の原料を炉内に装入する際の原料の舞い上がりや還元作用の阻害などの不都合を解消することにある。
【課題を解決するための手段】
【０００６】
上記課題を解決するために、この発明は、粉粒状の原料を溶融する電気溶融炉において、前記原料を炉体側面から炉内に装入する原料装入筒を溶融原料の上面近くに開口させて設け、この原料装入筒内に切り出された前記原料をプッシャで炉内に押し出すようにするとともに、このプッシャの押し出しストロークの停止位置を前記原料装入筒の開口端から一定距離手前に定め、前記プッシャの押し出しストロークの停止位置と前記原料装入筒の開口端との間に前記原料を保留するようにするものである（請求項１）。
【０００７】
請求項１の発明によれば、溶融スラグの上面に近い位置で原料を横方向から装入できるため、原料の舞い上がりがなく、また位置エネルギも小さくなるので還元方式の溶融の場合にも還元層が転倒したり、原料がスラグ層に入り込んだりすることがない。その場合、原料装入筒が溶融原料の上面近くに開口するため、排ガスの一部が原料装入筒内に流れ込む可能性がある。そこで、請求項１の発明では、原料装入筒の開口端よりも一定距離手前の区間に原料を保留することにより原料装入筒の開口端を閉塞し、排ガスの流れ込みを阻止する。
【０００８】
請求項１の発明において、前記プッシャを前記押し出しストロークの停止位置から前記原料装入筒の開口端まで更に進出可能な２段ストロークに構成し、この進出ストロークにより前記原料装入筒に溶着した前記原料を前記プッシャで削ぎ落とすようにするとよい（請求項２）。開口端付近に原料を保留すると、この保留原料はスラグ面からの溶融輻射熱を受けて溶融し、長期間には原料装入筒に溶着してその開口を狭める恐れがある。そこで、請求項２の発明においては、プッシャを押し出しストロークの停止位置から原料装入筒の開口端まで更に進出させ、この進出ストロークにより原料装入筒に溶着した原料をプッシャにより削ぎ落とすようにする。
【０００９】
請求項２の発明において、前記プッシャの先端にカッタを装着すれば、溶着原料の削ぎ落としが良好になる（請求項３）。
【発明の効果】
【００１０】
この発明によれば、原料装入筒をスラグ面の近くで炉体側面から炉内に開口させることにより、原料を炉頂部から落下させることによる原料の舞い上がりや還元作用の阻害を抑えることができ、しかも原料装入筒の開口端に保留した原料により、原料装入筒内への排ガスの流れ込みを防止することができる。また、プッシャを２段ストローク構成とすることにより、原料装入筒に原料が溶着しても容易に削ぎ落とすことができる。
【発明を実施するための最良の形態】
【００１１】
以下、図１〜図６に基づいて、都市ごみの焼却灰を還元溶融する直流抵抗式の溶融炉におけるこの発明の実施の形態を説明する。まず、図１は炉の全体構成を示す縦断面図で、直立した炉体１に原料装入装置２から装入された原料３は、主電極４と炉底電極５との間に通電される直流電流のジュール熱で溶融される。原料（焼却灰）３には還元剤（炭素粉等）が配合され、この原料３は溶融スラグ６の表層部で還元溶融され、灰中の金属酸化物は金属７となって溶融スラグ６から分離し下層に沈降する。溶融スラグ６は、スラグ層下部の取出口８から取り出され、図示しない鋳型に鋳込まれる。溶融金属７は、炉底部の取出口９から取り出される。炉体１の上面開口は炉蓋１０により閉じられ、炉内からの排ガスは炉蓋１０の排気口１１から図示しない排ガス処理装置に排出される。
【００１２】
図１において、原料装入装置２は、溶融スラグ６の上面近くに開口する断面方形の原料装入筒１２を備えている。原料装入筒１２は、ホッパ１３から切出し弁１４によりに原料３を供給され、この原料３をプッシャ１５により押し出して炉体側面から炉内に横方向に装入する。原料装入筒１２は、原料をなるべく水平に装入するように、水平もしくは図示の通りやや斜めに設置される。
【００１３】
ここで、プッシャ１５は、２つの油圧式あるいは空圧式のシリンダ１６及び１７によりそれぞれ異なるストロークで駆動される２段ストロークに構成されている。すなわち、プッシャ１５は通常は図示待機位置Ｐからシリンダ１６により矢印方向に駆動され、原料装入筒１２の開口端１２ａから一定距離だけ手前に定められた停止位置Ｑまで移動して原料３を炉内に押し出す。また、原料３が原料装入筒１２に溶着したときには、プッシャ１５はシリンダ１７により駆動され、開口端１２ａの前進位置Ｒまで更に進出して、溶着した原料３を削ぎ落とすようになっている。以下、図２〜図５に基づいて、プッシャ１５の動作を説明する。なお、図２〜図５においては、電気溶融炉の要部の右半部のみを示す。
【００１４】
まず、図２の待機状態において、ホッパ１３に貯蔵された原料３は、切出し弁１４により定量が原料装入筒１２内に供給される。そこで、シリンダ１６のピストン１６ａを作動させ、シリンダ１７のピストン１７ａを介してプッシャ１５を矢印方向に停止位置Ｑまで前進させる。この押し出しストロークＳ１により、図３に示すように、開口端１２ａから一定距離手前の区間に保留されていた原料３が炉内に押し出される。この時、原料３は溶融スラグ６の上面に近い位置で横方向からほぼ水平に装入されるため、原料３の舞い上がりがなく、また位置エネルギも小さくなるので還元方式の溶融の場合にも還元層が転倒したり、原料がスラグ層に入り込んだりすることがない。
【００１５】
図３において、原料３の押し出しが終了したら、シリンダ１７のピストン１７ａでシリンダ１６のピストン１６ａを押し戻しながら、プッシャ１５を矢印方向に後退させ、図１の待機位置Ｐで停止して１サイクルが完了する。以後、この繰り返しとなる。この装入サイクルにおいて、原料装入筒１２の炉内側には押し出されずに保留される原料３が存在し、原料装入筒１２を閉塞して煙道となることを防止している。従って、原料装入筒１２が溶融スラグ６の上面近くに開口していても、排ガスが原料装入筒１２内に流れ込む危険がない。
【００１６】
一方、炉内は高温なので、保留原料３はスラグ面からの溶融輻射熱を受けて溶融し、長時間経過すると、図４に示すように溶着することがある。この溶着原料３ａは放置すると成長し、原料装入筒１２の断面が狭められてシリンダ１６の負荷を増大させ、最終的には原料３が装入できなくなる。そこで、プッシャ１５を通常の押し出しストロークＳ１の停止位置Ｑから前進位置Ｒまで更に進出させ、この進出ストロークＳ２により溶着原料３ａをプッシャ１５で削ぎ落とすようにする。
【００１７】
すなわち、図４において、シリンダ１７のピストン１７ａを作動させ、プッシャ１５を矢印方向に前進位置Ｒまで進出させる。この進出ストロークＳ２により、図５に示すように、原料装入筒１２に溶着した原料３ａはプッシャ１５で削ぎ落とされる。図６はプッシャ１５を示すもので、図示の通りプッシャ１５の先端には、硬質の例えばセラミックからなるカッタ２１が装着されている。このようにカッタ２１を装着することにより効率的な削ぎ落としが可能となり、また磨耗時にはカッタ２１のみを交換すればよいのでプッシャ１５が長寿命となる。
【００１８】
なお、図示実施の形態ではプッシャの２段ストローク構成として２個のシリンダを用いる例を示したが、１個のシリンダのストローク制御により２段ストローク構成としてもよく、また駆動機構としては油圧あるいは空圧シリンダの他、電動シリンダ、ラック・ピニオン機構、クランク機構など種々の前後進機構が採用可能である。また、電気溶融炉として直流電気抵抗式の焼却灰溶融炉の場合を示したが、粉粒状原料を溶融する電気炉あれば図示溶融炉に限定されるものではない。
【図面の簡単な説明】
【００１９】
【図１】この発明の実施の形態を示す電気溶融炉の縦断面図である。
【図２】図１における原料装入筒への原料の供給を説明する図である。
【図３】図２における原料装入筒から炉内への原料の装入を説明する図である
【図４】図１における原料装入筒への原料の溶着を説明する図である。
【図５】図４における原料装入筒からの溶着原料の削ぎ落としを説明する図である。
【図６】図１におけるプッシャの斜視図である。
【符号の説明】
【００２０】
１    炉体
２    原料装入装置
６    溶融スラグ
１２    原料装入筒
１５    プッシャ
１８    待機位置
１９    停止位置
２０    進出位置
２１    カッタ
【図１】
2005233491.tif 000003
【図２】
2005233491.tif 000004
【図３】
2005233491.tif 000005
【図４】
2005233491.tif 000006
【図５】
2005233491.tif 000007
【図６】
2005233491.tif 000008